(57)【要約】【課題】携帯機器の外装色や機種に応じて、誤りなく、適切にデータ設定やアプリケーションプログラムの設定を可能にする。【解決手段】携帯機器が備える機能についての複数の設定項目用のデータまたは備えるべき機能のソフトウエアプログラムを記憶する記憶部を備える。自携帯機器の筐体が、当該自携帯機器が備える撮像手段により撮像されることにより得られた撮像画像データを解析して、自携帯機器の機種または属性を認識する。その認識結果に基づいて、自携帯機器の機能についての設定を、記憶部に記憶されている複数の設定項目用のデータまたはソフトウエアプログラムから選択して、実行する。【選択図】図６
2009158994.tif 000002
【特許請求の範囲】
【請求項１】
記憶部を備え、この記憶部に、備える機能についての複数の設定項目用のデータまたは備えるべき機能のソフトウエアプログラムが記憶されている携帯機器について、前記機能についての前記設定項目用のデータまたはソフトウエアプログラムの設定を、前記携帯機器が実行する方法であって、
自携帯機器の筐体が、当該自携帯機器が備える撮像手段により撮像されることにより得られた撮像画像データを解析して、前記自携帯機器の機種または属性を認識する認識工程と、
前記自携帯機器の前記機能についての設定を、前記認識工程での認識結果に基づいて、前記記憶部に記憶されている前記複数の設定項目用のデータまたはソフトウエアプログラムから選択して、実行する設定工程と
を備えることを特徴とする携帯機器の機能設定方法。
【請求項２】
請求項１に記載の携帯機器の機能設定方法において、
前記認識工程では、前記自携帯機器の属性として前記筐体の外装色を認識し、
前記設定工程では、前記認識工程で認識された前記筐体の外装色に基づいて前記設定を実行する
ことを特徴とする携帯機器の機能設定方法。
【請求項３】
請求項１または請求項２に記載の携帯機器の機能設定方法において、
前記認識工程では、前記撮像画像データから、前記自携帯機器の筐体のエッジ部分を検出することにより、前記筐体の部分を認識する
ことを特徴とする携帯機器の機能設定方法。
【請求項４】
請求項１または請求項２に記載の携帯機器の機能設定方法において、
前記携帯機器には、その機種または属性に応じて異なるマークが付与されており、
前記認識工程では、前記撮像画像データから、前記自携帯機器の筐体に設けられている特定のマークを検出し、当該検出したマークに基づいて、前記認識結果の確認をする
ことを特徴とする携帯機器の機能設定方法。
【請求項５】
請求項１に記載の携帯機器の機能設定方法において、
前記認識工程では、前記自携帯機器の筐体に設けられているマークを認識し、
前記設定工程では、前記認識工程で認識された前記筐体に設けられている前記マークに基づいて前記設定を実行する
ことを特徴とする携帯機器の機能設定方法。
【請求項６】
請求項１に記載の携帯機器の機能設定方法において、
前記認識工程では、前記自携帯機器の筐体に設けられているキーの形状、色または配列のいずれかを認識し、
前記設定工程では、前記認識工程で認識された前記筐体に設けられている前記キーの形状、色または配列のいずれか基づいて前記設定を実行する
ことを特徴とする携帯機器の機能設定方法。
【請求項７】
備える機能についての複数の設定項目用のデータまたは備えるべき機能のソフトウエアプログラムが記憶されている記憶部と、
撮像手段と、
自機の筐体が、前記撮像手段により撮像されることにより得られた撮像画像データを解析して、前記自機の機種または属性を認識する認識手段と、
前記機能についての設定を、前記認識手段での認識結果に基づいて、前記記憶部に記憶されている前記複数の設定項目用のデータまたはソフトウエアプログラムから選択して、実行する設定手段と
を備えることを特徴とする携帯機器。
【請求項８】
備える機能についての複数の設定項目用のデータまたは備えるべき機能のソフトウエアプログラムが記憶されている記憶部と、撮像手段とを備える携帯機器のマイクロコンピュータからなる制御部が、
自機の筐体が、前記撮像手段により撮像されることにより得られた撮像画像データを解析して、前記自機の機種または属性を認識する認識工程と、
前記機能についての設定を、前記認識手段での認識結果に基づいて、前記記憶部に記憶されている前記複数の設定項目用のデータまたはソフトウエアプログラムから選択して、実行する設定工程と
を実行するためのプログラム。
【発明の詳細な説明】
【技術分野】
【０００１】
この発明は、例えば携帯電話端末などの携帯機器の機能設定方法に関する。
【背景技術】
【０００２】
携帯電話端末などの携帯機器においては、機種や型番が異なるものにおいては、異なる機能を搭載していたり、同じ機能であっても、その機能に関して異なる設定がなされる場合がある。
【０００３】
また、携帯電話端末などでは、同じ機種で、同じ機能を備える構成であっても、例えば特許文献１（特開２００４−６４６１２号公報）に記載されている技術を用いることにより、筐体の外装色が異なるものを複数種類、用意するようにしているが、この種の携帯電話端末では、その筐体の外装色の違いに応じて特定の機能についての設定データを変更するようにしている場合がある。
【０００４】
例えば、携帯電話端末では、そのディスプレイの初期表示画面における背景画像（いわゆる壁紙）や着信音を、携帯電話端末の筐体の外装色に応じて異なるものに設定するようにしている。
【０００５】
従来、この筐体の外装色の違いに応じた壁紙や着信音の設定は、工場出荷前に、作業者による作業工程の１つとして行なわれ、携帯電話端末に書き込まれている管理番号に基づいて、コンピュータにより壁紙データや着信音のデータが携帯電話端末に書き込まれることによりなされている。
【０００６】
管理番号は、例えばコンピュータが用いられて、予め、携帯電話端末のメモリに書き込まれ、一方、コンピュータには、その携帯電話端末の管理番号と、その管理番号の携帯電話端末の外装色とが登録されている。コンピュータは、携帯電話端末のメモリに書き込まれている管理番号に基づいて携帯電話端末の外装色を判別し、壁紙データや着信音のデータを携帯電話端末に書き込むようにしている。
【０００７】
上記の特許文献は、次の通りである。
【特許文献１】特開２００４−６４６１２号公報
【発明の開示】
【発明が解決しようとする課題】
【０００８】
上述したように、携帯電話端末の管理番号は、コンピュータが用いられて書き込まれているが、当該管理番号の管理は人間が行っているため、管理番号の書き間違え等により、携帯電話端末の管理番号と筐体の実際の外装色とが不一致となり、外装色に応じたものではない誤った壁紙や着信音が、携帯電話端末に設定されてしまうという問題があった。
【０００９】
筐体の外装色の違いに応じて壁紙や着信音を設定する場合に限らず、携帯機器の管理番号により、機種などを判別して、その機種などに応じた機能についてのデータ設定を行ったり、搭載するアプリケーションプログラムを変えたりする場合にも、上述と同様の事態が生じる。
【００１０】
この発明は、以上の問題点を解消することができる携帯機器の機能設定方法および携帯機器を提供することを目的とする。
【課題を解決するための手段】
【００１１】
上記の課題を解決するために、この発明による携帯機器の機能設定方法は、
記憶部を備え、この記憶部に、備える機能についての複数の設定項目用のデータまたは備えるべき機能のソフトウエアプログラムが記憶されている携帯機器について、前記機能についての前記設定項目用のデータまたはソフトウエアプログラムの設定を、前記携帯機器が実行する方法であって、
自携帯機器の筐体が、当該自携帯機器が備える撮像手段により撮像されることにより得られた撮像画像データを解析して、前記自携帯機器の機種または属性を認識する認識工程と、
前記自携帯機器の前記機能についての設定を、前記認識工程での認識結果に基づいて、前記記憶部に記憶されている前記複数の設定項目用のデータまたはソフトウエアプログラムから選択して、実行する設定工程と
を備えることを特徴とする。
【００１２】
上記の構成のこの発明においては、携帯機器は、設定すべき機能についての設定項目用データまたはソフトウエアプログラムを、記憶部に予め保持している。
【００１３】
認識工程では、自携帯機器が備える撮像手段により撮像された自携帯機器の筐体の撮像画像データを解析し、自携帯機器の機種、または属性、例えば筐体の色などを認識する。そして、設定工程では、この認識工程での認識結果に基づいて、記憶部に記憶されている機能についての設定項目用のデータまたはソフトウエアプログラムを選択して、機能設定を実行するようにする。
【発明の効果】
【００１４】
この発明によれば、携帯機器が備える撮像手段で自携帯機器の筐体を撮影して得た撮像画像データから、自携帯機器の機種または属性が認識されるので、誤りなく、自携帯機器の機種または属性が認識される。したがって、携帯機器の機能について、設定項目用データの設定またはソフトウエアプログラムの設定が、誤りなく行われるものである。
【発明を実施するための最良の形態】
【００１５】
以下、この発明による携帯機器の実施形態を、携帯電話端末の場合を例にとって、図を参照しながら説明する。
【００１６】
［第１の実施形態］
以下に説明する第１の実施形態においては、認識すべき対象は、携帯機器の属性としての筐体の外装色の場合である。また、備えるべき機能についての設定対象は、携帯機器の例としての携帯電話端末のディスプレイ画面に、初期画面として表示する際の壁紙のデータの設定および着信音のデータの設定の場合である。
【００１７】
そして、以下に説明する第１の実施形態においては、設定作業は、工場において、出荷前に行われる場合としている。
【００１８】
図１は、この実施形態における携帯機器の機能設定方法の全体の概要を説明するためのシステム構成図であり、携帯機器の例としての携帯電話端末１が、作業管理用のパソコン２に、ケーブル３を通じて接続されている状態を示している。
【００１９】
携帯電話端末１は、この例では、折り畳み式のものであり、例えばＬＣＤ（Ｌｉｑｕｉｄ  Ｃｒｙｓｔａｌ  Ｄｉｓｐｌａｙ）からなるディスプレイ画面１３を備える上側筐体１１と、キーパッド１４を備える下側筐体１２とが、回転ヒンジ部１５の部分を回転中心として、ディスプレイ画面１３と、キーパッド１４とが対面するような状態で折り畳める構成とされている。
【００２０】
そして、図１の例では、上側筐体１１のディスプレイ画面１３が存在する面には、インカメラ１６が設けられている。上側筐体１１が、下側筐体１２側に閉じられるとき、このインカメラ１６により、下側筐体１２のキーパッド１４が形成されている面側を、撮影することができる。
【００２１】
図１では、図示を省略したが、この実施形態の携帯電話端末１には、下側筐体１２のキーパッド１４が形成されている面とは反対側には、メインカメラが設けられている。
【００２２】
この第１の実施形態の携帯電話端末１は、上側筐体１１のディスプレイ画面１３が形成されている部分を除く部分および下側筐体１２は、所定の外装色が施されている。この例では、第２のハーフ１２のキーパッド１４の部分も同じ外装色が施されている。外装色としては、例えば、赤、青、白、シルバーなどの複数種が用意され、各携帯電話端末１では、そのいずれかが外装色として施される。
【００２３】
そして、この実施形態の携帯電話端末１においては、下側筐体１２のエッジ近傍には、その外装色に一意に対応する形態の識別マーク１７が設けられている。この例では、識別マーク１７としては、図１に示すように、丸型マークが、外装色に応じて異なる数だけ設けられている。識別マーク１７を構成する丸型マークは、この例では、例えば、外装色が赤であれば１個、外装色が青であれば２個、外装色が白であれば３個、のように設けられている。図１の例は、外装色が赤の場合で、識別マーク１７としては、丸型マークが１個、下側筐体１２に形成されている。
【００２４】
なお、外装色に一意に対応する形態の識別マーク１７としては、同じ形状のマークの数ではなく、形状の異なるマークを、外装色に応じて設けるようにしても良い。例えば外装色が赤であれば丸マーク、外装色が青であれば四角マーク、外装色が白であれば三角マーク、をそれぞれ設けて、識別することができるようにすることもできる。外装色に一意に対応する形態のマーク１７としては、これらの例に限らず、種々の形態が可能である。
【００２５】
この実施形態の携帯電話端末１は、電源が投入されると、ディスプレイ画面１３に所定の初期画面（待ち受け画面）を表示する機能を備えると共に、電話着信があったときに、設定された着信音で、当該電話着信をユーザに報知する機能を備える。
【００２６】
そして、携帯電話端末１の電源を投入したときにディスプレイ画面１３に表示される初期画面（待ち受け画面（初期設定の画面））に用いられる背景画、いわゆる壁紙は、ユーザが任意に変更可能であるが、工場出荷時においては、当該携帯電話端末１に施されている外装色に応じて、異なる壁紙に初期的に設定されて、外装色と違和感のないものとされている。
【００２７】
また、この実施形態の携帯電話端末１では、同様に、工場出荷時においては、施されている外装色に応じて、異なる着信音に、初期設定されるようにされる。
【００２８】
そして、後述もするように、この実施形態の携帯電話端末１が内蔵するメモリには、前記初期画面（待ち受け画面）に用いられる、背景画（壁紙）の画像データ（初期設定分）が、前述した外装色の種類数分の全てが記憶されている。そして、製造工程において、後述する設定処理ルーチンにより、当該携帯電話端末１の自分の外装色に応じた背景画（壁紙）の画像データ（初期設定分）が、前記内蔵メモリから選択的に読み出されて、自動的に設定される。
【００２９】
着信音のデータも、初期設定分として、前述した外装色の種類数分の全てが、この実施形態の携帯電話端末１が内蔵するメモリに記憶されており、製造工程において、後述する設定処理ルーチンにより、当該携帯電話端末１の自分の外装色に応じた着信音データ（初期設定分）が、前記内蔵メモリから選択的に読み出されて、自動的に設定される。
【００３０】
パソコン２は、携帯電話端末１に対して、所定のシリアルコマンドを発行する。すると、この第１の実施形態の携帯電話端末１においては、後述するようにして、壁紙や着信音の設定処理が実行されるものである。
【００３１】
［実施形態の携帯電話端末１のハードウエア構成例］
図２は、この実施形態の携帯電話端末１のハードウエア構成例を示すブロック図である。すなわち、この実施形態の携帯電話端末１においては、制御バス１１０およびデータバス１１１からなるシステムバスに対して、制御部１０１と、通信回路１０２と、ＬＣＤからなる表示部１０３と、音源制御回路１０４と、メモリ１０５と、操作部１０６と、メインカメラモジュール１０７と、インカメラモジュール１０８と、筐体開閉センサ１０９とが接続されている。
【００３２】
制御部１０１は、マイクロコンピュータにより構成されるもので、このマイクロコンピュータには、この実施形態の携帯電話端末１の種々の処理を制御するためのソフトウエアプログラムが格納されており、制御部１０１は、そのソフトウエアプログラムにしたがって種々の制御処理を実行する。
【００３３】
この実施形態においては、制御部１０１が備えるソフトウエアプログラムの中に、後述する設定処理ルーチンを実行するためのプログラムが含まれている。
【００３４】
通信回路１０２は、基地局および携帯電話ネットワークを通じて電話通信やその他の情報通信を行なうための携帯電話通信用の無線通信部であり、アンテナ１１２を通じて通信データを送受する。
【００３５】
表示部１０３は、前述したディスプレイ画面１３を備えるＬＣＤを表示素子として備え、当該表示素子に制御部１０１の制御を受けながら、種々の表示画面を表示したり、撮像された動画像をモニター表示したりするようにする機能を備える。
【００３６】
音源制御回路１０４は、送受話音声信号などの音声信号処理を行うもので、送話音声を収音するためのマイクロホン１１３と、受話音声を再生するためのスピーカ１１４が接続されている。
【００３７】
メモリ１０５は、例えばフラッシュメモリなどの半導体メモリからなる内蔵メモリであり、このメモリ１０５には、少なくとも、前述した初期設定分の背景画（壁紙）の画像データが、外装色の種類数分の全てが記憶されていると共に、前述した初期設定分の着信音のデータも、外装色の種類数分の全てが記憶されている。
【００３８】
なお、この実施形態では、メモリ１０５には、携帯電話端末１における電話帳データやメールアドレス、ＵＲＬ（Ｕｎｉｆｏｒｍ  Ｒｅｓｏｕｒｃｅ  Ｌｏｃａｔｏｒ）などのデータのほか、当該携帯電話端末１が備える、種々の機能に付随する蓄積データが格納される。
【００３９】
操作部１０６は、前述したキーパッド１４に含まれるテンキーやその他のキーを備える。制御部１０１は、操作部１０６を通じていかなるキーが操作されたかを検知し、当該操作されたキーに対応する制御処理動作を実行するように構成されている。
【００４０】
メインカメラモジュール１０７は、前述した下側筐体１２に設けられているメインカメラを含み、当該メインカメラで撮像された撮像画像データについて所定の画像処理を行って、システムバスに供給するようにする。
【００４１】
インカメラモジュール１０８は、前述した上側筐体１１に設けられているインカメラ１を含み、当該インカメラで撮像された撮像画像データについて所定の画像処理を行って、システムバスに供給するようにする。
【００４２】
筐体開閉センサ１０９は、例えば、ＭＲ（Ｍａｇｎｅｔｏｒｅｓｉｓｔｉｖｅ）センサなどの磁気センサで構成され、上側筐体１１のディスプレイ１３が設けられている面が、下側筐体１２のキーパッド１４が形成されている面と、衝合するように折り畳まれて閉じられているか否かを判別し、その判別出力をシステムバスに出力するようにする。
【００４３】
後述するように、この実施形態では、このインカメラモジュール１０８は、設定処理ルーチンにおいてビデオモード（動画撮影モード）で起動されて、その動画撮像画像データが設定処理ルーチンにおける、自携帯電話端末１の筐体の外装色の判定に用いられるようにされている。
【００４４】
［携帯電話端末１の設定処理ルーチン］
図３およびその続きである図４に、携帯電話端末１がパソコン２に接続された状態で実行される製造工程の一部としての設定処理ルーチンの一例のフローチャートを示す。この図３および図４のフローチャートの各ステップの処理は、携帯電話端末１の制御部１０１が、実行するものである。なお、この図３および図４の処理ルーチンでは、説明の簡単のため、携帯電話端末１の外装色は、青と、赤と、白の３種のみであるとして説明する。
【００４５】
携帯電話端末１の製造工程の機能設定工程において、作業者は、携帯電話端末１を作業管理用パソコン２に接続して、パソコン２において、機能設定工程のスタート指示をする。すると、パソコン２は、携帯電話端末１に対して、機能設定を開始することを指示するシリアルコマンドを発行する。
【００４６】
携帯電話端末１の制御部１０１は、作業管理用のパソコン２からのシリアルコマンドの受信を確認すると（ステップＳ１）、インカメラモジュール１０８をビデオモード（動画モード）で起動するように制御する（ステップＳ２）。そして、制御部１０１は、携帯電話端末１のディスプレイ画面１３に、作業者に対して、上側筐体１１を下側筐体１２側に折り畳むように指示する指示メッセージを、例えば図５（Ａ）に示すようにディスプレイ画面１３に表示したり、また、スピーカ１１４から音声で出力したりして報知する（ステップＳ３）。
【００４７】
作業者は、この報知指示を受けて、上側筐体１１を下側筐体１２側にゆっくりと折り畳むようにする。
【００４８】
次に、制御部１０１は、インカメラ１６で撮像された撮像画像データをインカメラモジュール１０８から受けて、当該撮像画像データについての画像認識処理を実行し、この例では、携帯電話端末１の筐体の外装色を判定する（ステップＳ４）。このとき、携帯電話端末１のディスプレイ画面１３には、図５（Ｂ）に示すように、インカメラ１６からの撮像画像データの取り込み中であることを作業者に報知するメッセージを表示する。このステップＳ４における画像認識処理用のプログラムは、制御部１０１に、予め用意されているものである。この画像認識処理を用いた筐体の外装色の判定処理については、後で、更に詳述する。
【００４９】
次に、制御部１０１は、筐体開閉センサ１０９の開閉判別出力を監視して、上側筐体１１のディスプレイ１３が設けられている面が、下側筐体１２のキーパッド１４が形成されている面と、衝合するように、上側筐体１１の下側筐体１２側への折り畳みが完了したか否か判別する（ステップＳ５）。
【００５０】
そして、ステップＳ５で、上側筐体１１の下側筐体１２側への折り畳みが完了していないと判別したときには、制御部１０１は、当該折り畳みが完了していない状態が所定時間、例えば３０秒、継続したか否かを判別し（ステップＳ６）、所定時間継続したと判別したときには、ステップＳ３に戻り、作業者に対して、上側筐体１１を下側筐体１２側に折り畳むように指示する指示メッセージの報知を繰り返して、このステップＳ３以降の処理を行う。
【００５１】
ステップＳ５で、筐体開閉センサ１０９の開閉判別出力から上側筐体１１の下側筐体１２側への折り畳みが完了したと判別したときには、制御部１０１は、画像認識処理ができたか否か、あるいは、画像認識結果として、自携帯電話端末１の筐体の外装色を判定することができたか否か判別する（ステップＳ７）。
【００５２】
このステップＳ７で、画像認識処理ができなかったか、あるいは、自携帯電話端末１の筐体の外装色を判定することができなかったため、エラーであると判別したときには、制御部１０１は、エラーコマンドを作業用パソコン２に送り（ステップＳ８）、その後、ステップＳ１に戻って、当該パソコン２からの再度のシリアルコマンドの受信を待つ。
【００５３】
また、ステップＳ８で、自携帯電話端末１の筐体の外装色を判定することができたと判別したときには、制御部１０１は、ステップＳ４の画像認識処理を２回繰り返したか否か判別し（ステップＳ９）、未だ１回しか行っていないと判別したときには、ステップＳ３に戻り、このステップＳ３以降の処理を繰り返す。
【００５４】
そして、また、ステップＳ９で、ステップＳ４での画像認識処理を２回繰り返したと判別したときには、制御部１０１は、携帯電話端末１の下側筐体１２に形成されている識別マーク１７の画像認識結果を参照して、画像認識による直接的な外装色の判定結果を確認判定する（ステップＳ１０）。
【００５５】
この確認判定で、もしも、画像認識による直接的な外装色判別の結果と、識別マーク１７による間接的な外装色の判定結果とが不一致の場合には、制御部１０１は、ステップＳ８に進んで、エラーコマンドを作業用パソコン２に送り、その後、ステップＳ１に戻って、当該パソコン２からの再度のシリアルコマンドの受信を待つ。
【００５６】
また、ステップＳ１０の確認判定の結果、画像認識による直接的な外装色判別の結果と、識別マーク１７による間接的な外装色の判定結果とが一致したと判別したときには、制御部１０１は、判定結果の筐体の外装色は青であるか否か判別し（ステップＳ１１）、外装色が青であると判別したときには、青色筐体用の壁紙および着信音のデータをメモリ１０５から読み出し、それぞれ、壁紙の表示用データの記憶部および着信音のデータの記憶部に書き込んで、それぞれ設定する（ステップＳ１２）。そして、この処理ルーチンを終了する。
【００５７】
ステップＳ１１で、筐体の外装色は青ではないと判別したときには、制御部１０１は、筐体の外装色は赤であるか否か判別し（ステップＳ１３）、外装色が赤であると判別したときには、赤色筐体用の壁紙および着信音のデータをメモリ１０５から読み出し、それぞれ、壁紙の表示用データの記憶部および着信音のデータの記憶部に書き込んで、それぞれ設定する（ステップＳ１４）。そして、この処理ルーチンを終了する。
【００５８】
また、ステップＳ１３で、筐体の外装色は赤ではないと判別したときには、制御部１０１は、筐体の外装色は白であると判別して、白色筐体用の壁紙および着信音のデータをメモリ１０５から読み出し、それぞれ、壁紙の表示用データの記憶部および着信音のデータの記憶部に書き込んで、それぞれ設定する（ステップＳ１５）。そして、この処理ルーチンを終了する。
【００５９】
［画像認識処理による筐体の外装色の判定処理］
図６は、制御部１０１における画像認識処理による筐体の外装色の判定処理の一例を説明するためのフローチャートである。この図６のフローチャートの各ステップの処理も、制御部１０１が実行するものである。なお、この図６のフローチャートは、図３のフローチャートと一部重複するもので、ステップＳ４からステップＳ１０までの処理を含むものとなっている。
【００６０】
画像認識処理に当たって、制御部１０１は、先ず、当該画像認識処理が１回目の処理であることを認識する（ステップＳ２１）。そして、制御部１０１は、自携帯電話端末１の筐体の外装色を判定するに際して、先ず、撮像画像データについて画像認識を行い、撮像画像から、自筐体部分を検出するために、筐体のエッジ部分を探索する（ステップＳ２２）。
【００６１】
すなわち、図７（Ａ），（Ｂ），（Ｃ）は、それぞれ筐体の外装色が、それぞれ、青、赤、白の携帯電話端末１についてのインカメラ１６での撮像画像フレーム２０１の一枚を示すものであるが、この図７（Ａ），（Ｂ），（Ｃ）のそれぞれにおいて、点線の丸印で囲んで示す下側筐体１２のエッジ部分２０２を、制御部１０１は、撮像画像データから探索する。なお、図７において、１２Ｐは、下側筐体の撮像画像イメージであり、１４Ｐは、キーパッド１４の撮像画像イメージである。
【００６２】
制御部１０１は、エッジ部分２０２を検出できたか否か判別し（ステップＳ２３）、できなかったと判別したときには、エラーコマンドを作業用パソコン２に送って（ステップＳ２４）、この処理ルーチンを終了する。なお、このときのエラーコマンドには、エッジ部分の検出ができなかったことを示す情報を含め、パソコン２の画面にその旨を表示させて、作業者に報知させるようにしても良い。
【００６３】
また、ステップＳ２３で、エッジ部分２０２を検出できたと判別したときには、筐体の外装色を判定し、それを第１回目の認識結果として保持しておく（ステップＳ２５）。
【００６４】
次に、制御部１０１は、画像認識処理が２回目の処理であることを認識する（ステップＳ２６）。そして、制御部１０１は、ステップＳ２２と同様に、撮像画像データについて画像認識を行い、撮像画像から、自筐体部分を検出するために、筐体のエッジ部分を探索する（ステップＳ２７）。
【００６５】
そして、制御部１０１は、エッジ部分２０２を検出できたか否か判別し（ステップＳ２８）、できなかったと判別したときには、エラーコマンドを作業用パソコン２に送って（ステップＳ２４）、この処理ルーチンを終了する。なお、このときのエラーコマンドには、エッジ部分の検出ができなかったことを示す情報を含め、パソコン２の画面にその旨を表示させて、作業者に報知させるようにしても良い。
【００６６】
また、ステップＳ２３で、エッジ部分２０２を検出できたと判別したときには、筐体の外装色を判定する（ステップＳ２９）。そして、ステップＳ２５で得られた１回目の外装色の判定結果と、ステップＳ２９で得られた２回目の外装色の判定結果とを比較して、両者が一致しているか否か判別し（ステップＳ３０）、一致していなければ、外装色の判定にエラーがあったと判断し、エラーコマンドを作業用パソコン２に送って（ステップＳ２４）、この処理ルーチンを終了する。なお、このときのエラーコマンドには、１回目と２回目の認識結果が一致しなかったことを示す情報を含め、パソコン２の画面にその旨を表示させて、作業者に報知させるようにしても良い。
【００６７】
また、ステップＳ３０で、ステップＳ２５で得られた１回目の外装色の判定結果と、ステップＳ２９で得られた２回目の外装色の判定結果とが一致したと判別したときには、制御部１０１は、撮像画像データから下側筐体１２のエッジ近傍に設けられている、筐体の外装色の違いに応じて異なる識別マーク１７のイメージ２０３（以下、簡単のため、識別マーク２０３という）を認識して、当該識別マーク２０３から外装色を判定し、その判定結果と撮像画像からの直接的な外装色の判定結果とを照合して、両判定が一致しているか否か判別する（ステップＳ３１）。
【００６８】
すなわち、図７（Ａ）〜（Ｃ）に示すように、識別マーク２０３は、筐体の外装色に応じて丸型マークの数が異なるので、制御部１０１は、当該識別マーク２０３の数から、外装色を判定し、その判定結果と、撮像画像からの直接的な外装色の判定結果とを比較して、両者が一致しているか否かを判別する。
【００６９】
ステップＳ３１で、識別マーク２０３による判定結果と、撮像画像からの直接的な外装色の判定結果とが一致していないと判別したときには、制御部１０１は、外装色の判定にエラーがあったと判断し、エラーコマンドを作業用パソコン２に送って（ステップＳ２４）、この処理ルーチンを終了する。なお、このときのエラーコマンドには、画像から色認識した外装色と、識別マークから認識される外装色とが一致しなかったことを示す情報を含め、パソコン２の画面にその旨を表示させて、作業者に報知させるようにしても良い。
【００７０】
ステップＳ３１で、識別マーク２０３による判定結果と、撮像画像からの直接的な外装色の判定結果とが一致したと判別したときには、制御部１０１は、この処理ルーチンを終了する。この処理ルーチンの後は、制御部１０１は、図４のステップＳ１１以降を実行するものである。
【００７１】
以上のようにして、上述の第１の実施形態によれば、携帯電話端末１は、自端末１の筐体を、自端末１が備えるカメラで撮像し、その撮像画像データを画像認識して外装色を判定するようにしたので、外装色の識別が確実にでき、外装色に応じた設定項目を誤りなく設定することができる。
【００７２】
そして、上述した実施形態の場合には、撮像画像データから筐体エッジを検出して、筐体部分を認識するようにしているので、筐体以外の部分の色を筐体の外装色として判断してしまうエラーを防止することができる。
【００７３】
さらに、上述の実施形態では、携帯電話端末１の筐体には、外装色に応じて異なる識別マークを付与しておき、当該識別マークにより、画像認識結果から認識した外装色を確認するようにしているので、より確実に外装色の判定ができる。また、外装色と識別マークとの不一致を検出することで、識別マークの付与間違いあるいは外装色の間違いのいずれかを検出することができる。
【００７４】
なお、上述の第１の実施形態における識別マーク１７は必須のものではなく、これは設けなくても良く、画像認識により筐体の外装色の色認識のみを行うようにしても勿論よい。
【００７５】
逆に、上述の実施形態のように、識別マーク１７を、携帯電話端末１の外装色に応じて異なるものを付与している場合には、画像認識により筐体の外装色の色認識を省略して、識別マーク１７の数や形態のみによって、携帯電話端末１の筐体の外装色を判定するようにしても良い。
【００７６】
［第２の実施形態］
上述の第１の実施形態では、同一機種の携帯電話端末で、外装色が異なるものでは、壁紙や着信音のデータを、外装色に応じて設定するようにした。
【００７７】
しかし、この発明は、機種の違いに応じて、使用できる機能を異にする場合にも適用できる。第２の実施形態は、その場合である。この第２の実施形態においても、携帯機器が携帯電話端末である場合を例に説明する。
【００７８】
この第２の実施形態の携帯電話端末のハードウエア構成としては、図１および図２に示した第１の実施形態の携帯電話端末と同様にする。ただし、この第２の実施形態においては、メモリ１０５には、設定対象機種の全てに搭載すべき機能のアプリケーションプログラムが予め記憶されている。
【００７９】
そして、この第２の実施形態では、設定処理ルーチンを実行することにより、メモリ１０５に記憶されているアプリケーションプログラムのうち、自端末の機種に本来搭載されるべきアプリケーションプログラムのみが、利用可能の状態に設定され、その他のアプリケーションプログラムは、使用不可の状態とされる。
【００８０】
アプリケーションプログラムを利用可能の状態に設定するということは、当該アプリケーションプログラムを起動可能に設定することを意味する。また、使用不可の状態の設定には、当該機種で使用しないアプリケーションプログラムを起動不可とすることや、そのアプリケーションプログラムを削除してしまうことを含む。
【００８１】
そして、この第２の実施形態の携帯電話端末においては、機種毎に、異なる識別マークが筐体に付与されており、この機種毎の識別マークを、自端末に備えられているカメラで撮像して得られた撮像画像データから画像認識により識別して、機種がいずれであるかを認識する。そして、認識した機種に応じて、メモリ１０５から、利用可能の状態にするアプリケーションプログラムを選択設定するようにする。
【００８２】
図８は、この第２の実施形態における携帯電話端末４の機種毎の識別マークの例を説明するための図である。すなわち、図８（Ａ），（Ｂ）は、それぞれ、第２の実施形態の携帯電話端末の２機種についてのインカメラ１６での撮像画像フレーム３０１の一枚を示すものである。
【００８３】
図８（Ａ）は、ヘッドホンプレーヤ機能を有しない通常機種の携帯電話端末の下側筐体１２の撮像画像フレーム３０１を示すもので、下側筐体１２のエッジ部近傍には、例えば、丸印のみからなる識別マーク３０２が付与されている。
【００８４】
一方、図８（Ｂ）は、ヘッドホンプレーヤ機能を有する機種の携帯電話端末の下側筐体１２の撮像画像フレーム３０１を示すもので、下側筐体１２のエッジ部近傍には、例えば、丸と長丸とからなる識別マーク３０３が付与されている。
【００８５】
前述の図３および図４に示した設定処理ルーチンにおいては、この第２の実施形態においては、外装色の認識判定に代えて、識別マーク３０２と３０３との識別による機種判定を実行する。この例の場合も、第１の実施形態と同様に、エッジ部を探索しながら識別マーク３０２および３０３の識別を行って、誤判定を防止するようにするものである。
【００８６】
そして、制御部１０１は、撮像画像データから識別マーク３０２を認識したときには、携帯電話端末を、通常機種と判定して、ヘッドホンプレーヤ機能を実行するためのアプリケーションプログラムは、起動停止あるいは削除するように設定する。
【００８７】
また、制御部１０１は、撮像画像データから識別マーク３０３を認識したときには、携帯電話端末を、ヘッドホンプレーヤ機能付き機種と判定して、ヘッドホンプレーヤ機能を実行するためのアプリケーションプログラムは、起動可能状態に設定する。
【００８８】
上述の第２の実施形態の説明では、撮像画像データから識別マークを検出することにより機種の違いを検出するようにしたが、撮像画像データから機種の違いを検出する方法としては、これに限られるものではなく、例えば、撮像画像データからキー配列や、キーの形状、キーの色の違いなどを検出することによって、機種の違いを検出するように構成してもよい。
【００８９】
［その他の実施形態または変形例］
第１の実施形態は、携帯機器が備える機能についてのデータ設定項目のデータ設定を行う場合であるが、上述の第１の実施形態においても、データ設定項目のデータ設定に加えて、外装色の違いに応じて、第２の実施形態と同様に、それぞれの外装色の携帯機器が備えるべきアプリケーションプログラムの設定を行うようにしてもよい。
【００９０】
また、第２の実施形態は、携帯機器が備えるべきアプリケーションプログラムの設定を行う場合であるが、第２の実施形態においても、アプリケーションプログラムの設定に加えて、携帯機器が備える機能についてのデータ設定項目のデータ設定を行うようにしてもよい。
【００９１】
なお、上述の実施形態においては、データ設定項目としては、壁紙や着信音について説明したが、これに限られるものではなく、例えば携帯電話端末のディスプレイに表示する機能メニュー画面の構成や、着信をユーザに報知する着信ＬＥＤ（Ｌｉｇｈｔ  Ｅｍｉｔｔｉｎｇ  Ｄｉｏｄｅ；発光ダイオード）の初期設定の色や発光パターンであっても良い。
【００９２】
また、上述の第１および第２の実施形態の説明では、携帯電話端末１がメインカメラの他にインカメラ１６を備え、そのインカメラ１６で自端末１の筐体を撮像するようにしたが、インカメラを有せず、メインカメラのみしか有しない携帯電話端末であっても、以下のようにすることにより、自端末の筐体を自端末のカメラを用いて撮像することができる。
【００９３】
例えば、図９に示すように、携帯電話端末として、上側筐体４０１と下側筐体４０２とからなる折り畳み式の携帯電話端末であって、上側筐体４０１のディスプレイ画面が設けられていない側にのみメインカメラ４０３が設けられ、一方、下側筐体４０２には、キーパッド４０４が設けられ、かつ、図９で矢印で示すように、上側筐体４０１がその表裏を逆転させるように回転することができるように構成されているものがある。
【００９４】
この図９のような携帯電話端末の場合には、上側筐体４０１に設けられているメインカメラ４０３を、下側筐体４０２のキーパッド４０４が形成されている面と対面することできるように、上側筐体４０１を表裏回転させておき、この状態で、上述の図３のフローチャートに示した設定処理を実行させることで、上述と同様にして、外装色に応じたデータの設定や、機種に応じたプログラム設定を自動的に行うことができる。
【００９５】
また、インカメラを有しないと共に、図９のように上側筐体を表裏回転することができない折り畳み式の携帯電話端末の場合や、折り畳み式ではない携帯電話端末の場合には、そのままでは自端末の筐体を自端末が備えるカメラで撮像することができない。その場合には、携帯電話端末のカメラの前に鏡を設置し、当該鏡に写った携帯電話端末の筐体画像を、カメラで撮像するようにすれば良い。
【００９６】
また、上述の実施形態では、製造工程の一部としてデータ設定項目のデータ設定を行うようにしたが、例えばユーザの依頼により、携帯電話端末の販売店やサービスセンタなどで、携帯電話端末の筐体部分の交換を行った際に、販売店やサービスセンタに設置されたパーソナルコンピュータに接続して、上述の実施形態におけるシリアルコマンドを送信することで、データ設定項目のデータ設定が行えるようにするなど、ユーザに対するアフターサービスの一部としてデータ設定項目のデータ設定を行うようにしてもよい。
【００９７】
また、以上の実施形態では、上記のデータの設定やアプリケーションプログラムの設定は、作業用パソコンからのコマンドを受けて、携帯機器が行うようにしたが、携帯機器が備える操作キーの特定のキー操作（通常の操作では、連続操作あるいは同時操作することがない複数のキーの連続操作や同時操作など）を、受けたときに、携帯機器が、上述と同様にして、データの設定やアプリケーションプログラムの設定を行う処理を起動するようにしても良い。その場合には、携帯機器単独で、機能設定方法を実行することができることになる。
【００９８】
このように、携帯機器単独で、機能設定方法を実行することができるようにした場合には、例えば、いわゆる着せ替えなどや、筐体部分の交換などにより、外装色が変わったときに、ユーザ自身や、携帯電話端末の販売店やサービスセンターなどでも、簡単に機能設定方法を実行することができるものである。
【００９９】
なお、上述の実施形態は、携帯機器が携帯電話端末の場合を例に説明したが、この発明が適用される携帯機器は、携帯電話端末に限られるものではなく、ＰＤＡ（Ｐｅｒｓｏｎａｌ  Ｄｉｇｉｔａｌ  Ａｓｓｉｓｔａｎｔｓ）など、種々の携帯機器に適用可能であることは言うまでもない。
【図面の簡単な説明】
【０１００】
【図１】この発明による携帯機器の機能設定方法の実施形態が適用されるシステム構成例を示す図である。
【図２】この発明による携帯機器の実施形態のハードウエア構成例を示すブロック図である。
【図３】この発明による携帯機器の機能設定方法の実施形態を説明するためのフローチャートの一部を示す図である。
【図４】この発明による携帯機器の機能設定方法の実施形態を説明するためのフローチャートの一部を示す図である。
【図５】この発明による携帯機器の機能設定方法の実施形態を説明するための図である。
【図６】この発明による携帯機器の機能設定方法の実施形態の要部を説明するためのフローチャートを示す図である。
【図７】この発明による携帯機器の機能設定方法の実施形態の要部を説明するために用いる図である。
【図８】この発明による携帯機器の機能設定方法の他の実施形態の要部を説明するために用いる図である。
【図９】この発明による携帯機器の機能設定方法の他の実施形態を説明するための図である。
【符号の説明】
【０１０１】
１…携帯電話端末、１１…上側筐体、１２…下側筐体、１６…インカメラ、１０５…メモリ、１０８…インカメラモジュール、２０３，３０２，３０３…識別マーク
【図１】
2009158994.tif 000003
【図２】
2009158994.tif 000004
【図３】
2009158994.tif 000005
【図４】
2009158994.tif 000006
【図５】
2009158994.tif 000007
【図６】
2009158994.tif 000008
【図７】
2009158994.tif 000009
【図８】
2009158994.tif 000010
【図９】
2009158994.tif 000011